(57)【要約】【課題】操作つまみとケースの開口部の間の隙間から水や粉塵が浸入するのを効果的に防止することができると同時に、可動部である操作つまみの操作をスムーズに行わせることができる電子部品用操作つまみの防滴構造を提供すること。【解決手段】外装ケース２００に設けた開口部２０１内に、回転及び揺動することで操作される多機能型電子部品１−１の操作つまみ９０を露出して設置する。可撓性の防滴板３００を、操作つまみ９０のつば部９５の上面と、外装ケース２００下面の開口部２０１の周囲であってつば部９５よりも外方の位置に設けた当接突起２０３とに当接させる。防滴板３００は、合成樹脂フィルムをリング状に形成して構成されている。防滴板３００によって、操作つまみ９０と開口部２０１の間の隙間Ｓ１から浸入した水又は粉塵の下方への浸入が防止できる。【選択図】図１
2015207468.tif 000002
【特許請求の範囲】
【請求項１】
ケースに設けた開口部内に、少なくとも回転又は揺動又は上下動することで操作される電子部品用の操作つまみを露出し、
前記操作つまみの外周部分の上面に当接し、且つ前記ケース下面の開口部の周囲であって前記操作つまみに当接した位置よりも外方の位置で当接する可撓性を有する防滴板を設置することによって、前記操作つまみとケースの開口部の間の隙間からの水又は粉塵の浸入を防止することを特徴とする電子部品用操作つまみの防滴構造。
【請求項２】
請求項１に記載の電子部品用操作つまみの防滴構造であって、
前記防滴板は、可撓性を有する合成樹脂フィルムをリング状に形成して構成されていることを特徴とする電子部品用操作つまみの防滴構造。
【請求項３】
請求項１又は２に記載の電子部品用操作つまみの防滴構造であって、
前記操作つまみの周囲に半径方向外方に突出するつば部を設け、このつば部の上面を前記操作つまみの外周部分の上面として、この上面に前記防滴板を載置することを特徴とする電子部品用操作つまみの防滴構造。
【請求項４】
請求項１又は２又は３に記載の電子部品用操作つまみの防滴構造であって、
前記ケース下面の前記開口部の周囲を囲む位置であると共に、前記操作つまみの前記防滴板が当接する位置より外方の位置に、前記防滴板を当接させる当接突起を設けたことを特徴とする電子部品用操作つまみの防滴構造。
【請求項５】
請求項４に記載の電子部品用操作つまみの防滴構造であって、
前記当接突起は、前記開口部の周囲を囲む位置に少なくとも二重に設けられ、各当接突起に前記防滴板を当接させることを特徴とする電子部品用操作つまみの防滴構造。
【請求項６】
請求項４又は５に記載の電子部品用操作つまみの防滴構造であって、
前記当接突起の外周側に、前記防滴板をその下側から支える支持部を設けたことを特徴とする電子部品用操作つまみの防滴構造。
【発明の詳細な説明】
【技術分野】
【０００１】
本発明は、電子部品の操作に用いる操作つまみと、この操作つまみを露出してその周囲を囲むケースとの間の隙間を防滴・防塵するのに好適な電子部品用操作つまみの防滴構造に関するものである。
【背景技術】
【０００２】
従来、コンパクトカメラやビデオカメラ等の各種携帯機器、車載用ナビゲーションシステム、コンピュータ、各種ＯＡ機器、ゲーム機等を操作するデバイスとして、例えば特許文献１に示すような多機能型電子部品（１−１）がある。
【０００３】
特許文献１の図１に記載の多機能型電子部品（１−１）は、回転式電子部品を操作する回転つまみ（２１０）の中央に、押圧式電子部品を操作する押釦つまみ（１８０）を設置し、さらに回転つまみ（２１０）をその上面から押圧して揺動することで回転つまみ（２１０）を揺動式電子部品操作用のつまみとして兼用させる構造を有している。
【０００４】
そして特許文献１の多機能型電子部品（１−１）においては、回転つまみ（２１０）中央の開口部（２１２）と押釦つまみ（１８０）の間の隙間から浸入する液体が回転体（９０）側に浸入するのを防止する第１防滴部材（３５０）と、外装ケース（４００）の開口部（４０１）から浸入した液体がケース（１５０）と取付台（６０）の間の隙間から回転体（９０）側に浸入するのを防止する第２防滴部材（３００）とを設置している。
【先行技術文献】
【特許文献】
【０００５】
【特許文献１】特開２００９−２３８７０７号公報
【発明の概要】
【発明が解決しようとする課題】
【０００６】
上述のように、特許文献１に記載の多機能型電子部品（１−１）においては、多機能型電子部品（１−１）の内部への液体の浸入を防止するようにしている。しかしながら、回転つまみ（２１０）とケース（４００）の開口部（４０１）の間の隙間から液体が浸入すること自体は防止できないので、前記隙間から浸入した液体や粉塵が、外装ケース（４００）内に収納した別の各種電子部品に付着する等の問題があった。
【０００７】
上記問題を解決するには、例えば回転つまみ（２１０）とケース（４００）の開口部（４０１）との間の隙間にゴム製パッキンを挟持させる等すればよい。しかしながらそうすると、可動部である回転つまみ（２１０）の回転や揺動が前記ゴム製パッキンによって阻害され、その回転操作や揺動操作がスムーズに行えなくなる恐れがあった。
【０００８】
本発明は上述の点に鑑みてなされたものでありその目的は、操作つまみとケースの開口部の間の隙間から水や粉塵が浸入するのを効果的に防止できると同時に、可動部である前記操作つまみの操作をスムーズに行うことができる電子部品用操作つまみの防滴構造を提供することにある。
【課題を解決するための手段】
【０００９】
本発明に係る電子部品用操作つまみの防滴構造は、ケースに設けた開口部内に、少なくとも回転又は揺動又は上下動することで操作される電子部品用の操作つまみを露出し、前記操作つまみの外周部分の上面に当接し、且つ前記ケース下面の開口部の周囲であって前記操作つまみに当接した位置よりも外方の位置で当接する可撓性を有する防滴板を設置することによって、前記操作つまみとケースの開口部の間の隙間からの水又は粉塵の浸入を防止することを特徴としている。
本発明によれば、操作つまみとケースの開口部の間の隙間からの水や粉塵の浸入を効果的に防止することができる。
一方、防滴板が操作つまみに当接する位置と、防滴板がケース下面に当接する位置とが別の位置なので、即ち操作つまみとケースが防滴板をその上下から挟持する構造ではないので、操作つまみとケース下面の何れに対しても防滴板は軽く触れる状態となる。このため操作つまみを回転するような場合、防滴板は、これが当接する操作つまみの外周部分の上面とケース下面の開口部の周囲の部分の何れに対しても容易に摺動し、前記操作つまみの回転動作が妨げられることはない。また操作つまみを揺動又は上下動させるような場合、防滴板を当接した操作つまみの外周部分の上にケース下面が当接しておらず、且つ防滴板は撓むので、操作つまみの前記揺動動作又は上下動動作が妨げられることはない。これらのことから操作つまみの回転、揺動、上下動の何れの操作もスムーズに行うことができる。
上記のような効果を、防滴板を追加するだけで得ることができ、また防滴板を設置するのに特別なスペースは不要で、小型化が阻害されない。
【００１０】
また本発明は、前記防滴板が、可撓性を有する合成樹脂フィルムをリング状に形成して構成されていることを特徴としている。
本発明によれば、防滴板をリング状に形成したので、操作つまみへの防滴板の装着が全周にわたって容易に行える。同時にケース下面の開口部の周囲への防滴板の当接も全周にわたって容易に行える。
【００１１】
また本発明は、前記操作つまみの周囲に半径方向外方に突出するつば部を設け、このつば部の上面を前記操作つまみの外周部分の上面として、この上面に前記防滴板を載置することを特徴としている。
本発明によれば、防滴板をつば部の上面に載置するだけで、容易に防滴板を操作つまみの外周部分上面に装着することができる。
【００１２】
また本発明は、前記ケース下面の前記開口部の周囲を囲む位置であると共に、前記操作つまみの前記防滴板が当接する位置より外方の位置に、前記防滴板を当接させる当接突起を設けたことを特徴としている。
本発明によれば、ケース下面に設けた当接突起に防滴板を当接させるので、両者の当接が確実に行え、操作つまみとケースの開口部の間の隙間からの水や粉塵の浸入を効果的に防止することができる。同時に防滴板と当接突起の当接は略線接触となるので、当接部分における防滴板の摺動がよりスムーズに行え、操作つまみの回転動作をよりスムーズに行わせることができる。
【００１３】
また本発明は、前記当接突起が、前記開口部の周囲を囲む位置に少なくとも二重に設けられ、各当接突起に前記防滴板を当接させることを特徴としている。
本発明によれば、当接突起を二重に設けて両者に防滴板を当接させるので、二つの当接突起の間に浸入する液体を一旦保持する保持空間を形成することができ、これによって液体の浸入をより効果的に防ぐことができる。なお一旦前記保持空間に溜まった液体は、蒸発等によって消滅する。
【００１４】
また本発明は、前記当接突起の外周側に、前記防滴板をその下側から支える支持部を設けたことを特徴としている。
本発明によれば、支持部が防滴板を当接突起の外周側でその下側から支持するので、当接突起への防滴板の当接をより確実に行わせることができ、さらに防滴、防塵効果を高めることができる。
【発明の効果】
【００１５】
本発明によれば、操作つまみとケースの開口部の間の隙間から水や粉塵が浸入するのを効果的に防止できると同時に、可動部である前記操作つまみの操作をスムーズに行わせることができる。
【図面の簡単な説明】
【００１６】
【図１】多機能型電子部品１−１と防滴板３００とケース（外装ケース）２００とを示す断面図である。
【図２】多機能型電子部品１−１を装着した外装ケース２００を上側から見た斜視図である。
【図３】多機能型電子部品１−１及び防滴板３００と外装ケース２００の分解斜視図である。
【図４】多機能型電子部品１−１と防滴板３００の分解斜視図である。
【図５】外装ケース２００を下側から見た斜視図である。
【図６】隙間Ｓ１近傍部分の拡大概略断面図である。
【図７】ケース７０を示す斜視図である。
【図８】多機能型電子部品１−２と防滴板３００−２とケース（外装ケース）２００−２とを示す断面図である。
【図９】ケース７０−２を示す斜視図である。
【発明を実施するための形態】
【００１７】
以下、本発明の実施形態を図面を参照して詳細に説明する。図１は本発明の一実施形態を構成する多機能型電子部品１−１と防滴板３００とケース（以下「外装ケース」という）２００とを示す断面図、図２は多機能型電子部品１−１を装着した外装ケース２００を上側から見た斜視図、図３は多機能型電子部品１−１及び防滴板３００と外装ケース２００とを分離した分解斜視図、図４は多機能型電子部品１−１と防滴板３００とを分離した分解斜視図である。これらの図に示すようにこの実施形態においては、外装ケース２００に設けた開口部２０１内に、防滴板３００を設置した多機能型電子部品１−１の操作つまみ９０を露出するように設置して構成されている。なお以下の説明において、「上」とは防滴板３００から外装ケース２００を見る方向をいい、「下」とはその反対方向をいうものとする。
【００１８】
多機能型電子部品１−１は、支持部材１０上に、第２回路基板２０と、取付台３０と、第１回路基板４０と、摺動子５０と、クリックバネ６０と、ケース７０と、押釦つまみ８０と、操作つまみ９０とを設置し、さらに取付台３０と押釦つまみ８０間にコイルスプリングからなる弾発部材１００を設置して構成されている。この多機能型電子部品１−１は、回転式電子部品としての機能の他に、押圧式電子部品としての機能と、揺動式電子部品としての機能とを併せ持つものである。
【００１９】
支持部材１０は、金属製の硬質板（例えば鉄板）であり、図示しない位置で、この支持部材１０近傍に設置した静止側部材に固定される。
【００２０】
第２回路基板２０は、フレキシブル回路基板であって、合成樹脂フィルム上に所望の回路パターンを形成し、その上面中央に中央スイッチ２１を設置し、中央スイッチ２１の周囲を囲む位置に等間隔（９０°間隔）に複数（４つ、但し図には２つのみ示す）の押圧スイッチ２３を設置して構成されている。中央スイッチ２１及び押圧スイッチ２３は何れも第２回路基板２０上に形成した図示しないスイッチパターン上に弾性金属板をドーム形状に形成してなる反転板を設置して構成されている。
【００２１】
取付台３０は、合成樹脂を略円板状に成形して構成されており、その中央に上方向に向かって突出する筒状突出部３１を設け、筒状突出部３１の中央に上下に貫通する開口部３３を設けている。取付台３０上面の筒状突出部３１の周囲には、リング状の突出部３５が設けられ、筒状突出部３１と突出部３５の間の凹部にバネ受け部３７を設けている。取付台３０上面の前記突出部３５の外側周囲の面は、基板載置部３８となっている。取付台３０の下面の前記各押圧スイッチ２３に対向する位置（４か所、但し図には２箇所のみ示す）には、下方向に向かって突出する押圧部３９が形成されている。
【００２２】
第１回路基板４０は、合成樹脂フィルム上に所望の回路パターンを形成したフレキシブル回路基板であって、中央に前記取付台３０の突出部３５を挿通する開口部４１を設け、上面に電気的機能部である摺接パターン（図示せず）を形成して構成されている。摺接パターンは、スイッチパターンであっても良いし、抵抗体パターンであっても良いし、それら以外の各種機能を有するパターンであっても良い。
【００２３】
摺動子５０は弾性金属板製であって、略リング状に形成された基部５１と、基部５１から突出して斜め下方向に向かう摺接ブラシ５３とを具備している。基部５１の中央には開口部５５が設けられている。
【００２４】
クリックバネ６０は弾性金属板製であって、略リング状に形成された基部６１と、基部６１の外周から突出して基部６１の外周を囲むように設置されるアーム部６３とを具備して構成されている。アーム部６３の所定位置には、上方向に向かって突出するように屈曲してなる弾接部６５が形成されている。基部６１の中央には開口部６７が設けられている。
【００２５】
図７はケース７０を示す斜視図である。同図及び図１に示すように、ケース７０は合成樹脂を成形して構成されており、略円形平板状の上面部７１及びこの上面部７１の外周下面から下方に筒状に突出する側壁部７３を具備する本体部７２と、側壁部７３から半径方向外方に突出する４本の略Ｔ字型のヒンジ部７９と、各ヒンジ部７９間を連結する４つの固定部７８と、を具備して構成されている。上面部７１の中央には下記する操作つまみ９０の軸支部９９を回動自在に挿入する上下に貫通する円形の開口７５が設けられている。側壁部７３の下面からは４本（図７では３本のみ示す）の小突起からなる取付部７４が突出している。ヒンジ部７９はその全体を略薄板平板状とすることで撓み易いように形成されている。また図１に示すように、上面部７１の下面には、前記クリックバネ６０の弾接部６５を弾接させる多数の凹凸をリング状に形成してなるクリック係合部７７が設けられている。また各固定部７８の下面からは４本（図７では３本のみ示す）の取付突部７６が突出している。
【００２６】
押釦つまみ８０は合成樹脂の成形品であり、略円板状の本体部８１と、本体部８１の下面中央から下方向に突出する柱状の押圧部８３とを具備し、また本体部８１の外周下部から薄板リング状のつば部８５を突出して構成されている。また本体部８１の下面の押圧部８３の周囲を囲む位置には、凹状のバネ受け部８７が形成されている。
【００２７】
操作つまみ９０は合成樹脂の成形品であり、略円板状の本体部９１の外周から下方に向かって筒状に側壁部９３を突出し、さらに側壁部９３の下部から半径方向外方に突出するつば部９５を設けて構成されている。本体部９１の中央には上下に貫通して前記押釦つまみ８０の本体部８１を挿入する内径寸法（但しつば部８５の外径寸法よりも小さい内径寸法）の円形の開口部９７が設けられている。また本体部９１の下面の開口部９７の周囲には、下方向に突出する筒状の軸支部９９が設けられている。軸支部９９の内径寸法は前記押釦つまみ８０のつば部８５を狭い隙間を介して上下動自在に収納できる寸法に形成されており、軸支部９９の外径寸法は前記ケース７０の開口７５に挿入されて回動自在に軸支される寸法に形成されている。
【００２８】
この多機能型電子部品１−１を組み立てるには、操作つまみ９０の開口部９７にその下側から押釦つまみ８０の本体部８１を挿入し、次に操作つまみ９０の軸支部９９をケース７０の開口７５に回動自在に挿入し、次に軸支部９９の下端面にこの軸支部９９に設けた図示しない固定手段によってクリックバネ６０と摺動子５０とを一体に固定する。これによって押釦つまみ８０を装着した操作つまみ９０はケース７０（その本体部７２）に対して回動自在に取り付けられる。次に押釦つまみ８０のバネ受け部８７に弾発手段１００の一端を載置し、その下側に第１回路基板４０を載置した取付台３０を設置し、図７に示す取付部７４によって取付台３０をケース７０の側壁部７３の下面に固定する。そして取付台３０の下側に第２回路基板２０を載置した支持部材１０を設置し、支持部材１０とケース７０の固定部７８間を固定部７８に設けた取付突部７６によって固定する。これによって前記ケース７０の本体部７２及びこれに取り付けた取付台３０や操作つまみ９０等が支持部材１０に対して揺動自在となる。これによって多機能型電子部品１−１が完成する。
【００２９】
なお支持部材１０は、上述のように、外装ケース２００の内部（下側）に設置された図示しない静止側部材に固定される。従って支持部材１０は外装ケース２００に対して相対的に静止する。一方、操作つまみ９０は、ケース７０の本体部７２や押釦つまみ８０や取付台３０等と共に、支持部材１０や固定部７８に対してヒンジ部７９が撓むことで、全周方向において揺動する。
【００３０】
図５は外装ケース２００を下側から見た斜視図である。同図及び図１〜図４に示すように、外装ケース２００は合成樹脂の成形品であり、その所定位置に円形の開口部２０１を設けて構成されている。開口部２０１の内径寸法は、前記多機能型電子部品１−１の操作つまみ９０を略ぴったり挿入できる寸法である。
【００３１】
さらに外装ケース２００の下面の開口部２０１の周囲を囲む位置には、防滴板３００を当接させる当接突起２０３が設けられている。当接突起２０３は円形の突起であって、開口部２０１の周囲を二重に囲むように、同心円状に二本設けられている。両当接突起２０３の高さは同一としている。当接突起２０３の先端（下端）部分は、円形線状の当接部２０５となっている。内側の当接突起２０３の内径寸法は、前記操作つまみ９０（そのつば部９５）の外径寸法よりも大きい寸法としている。
【００３２】
防滴板３００は、可撓性を有する薄板状の合成樹脂フィルムをリング状に形成して構成されている。この実施形態では、合成樹脂の材質として、撥水性が高く、同時に摺動性の良いフッ素樹脂を用いている。防滴板３００の中央に形成される開口３０１の内径寸法は、前記操作つまみ９０の本体部９１の外径寸法と略同一としている。また防滴板３００の外径寸法は、前記外装ケース２００下面の外側の当接突起２０３の外径寸法よりも大きい寸法としている。
【００３３】
そして図３に示すように、多機能型電子部品１−１の操作つまみ９０の上から防滴板３００を被せて、操作つまみ９０の本体部９１を防滴板３００の開口３０１に挿入し、これによって防滴板３００を操作つまみ９０のつば部９５の上面に載置する。次に前記防滴板３００を載置した多機能型電子部品１−１を外装ケース２００の下面近傍に設置し、その際、操作つまみ９０の本体部９１を外装ケース２００の開口部２０１内に挿入し、露出させる。このとき、図１に示すように、防滴板３００の上面は外装ケース２００の下面に設けた２本の当接突起２０３に当接する。即ち、防滴板３００は、操作つまみ９０の外周部分であるつば部９５の上面に当接し、且つ防滴板３００は、ケース２００下面の開口部２０１周囲の当接突起２０３に、前記防滴板３００が操作つまみ９０に当接する位置よりも外方の位置において当接している。言い換えれば、操作つまみ９０の外周部分の上面に当接した防滴板３００の上部にはケース２００は当接しておらず、またケース２００に当接した防滴板３００の下部には操作つまみ９０は当接していない。さらに言えば、つば部９５上に載置した防滴板３００の部分と、ケース２００の下面との間には、つば部９５が上下動するのに必要な隙間Ｓ２が形成されている。一方、支持部材１０は図示しない静止側の部材に固定され、外装ケース２００も静止側の部材に固定されるので、両者の位置は相対的に固定される。なお上記組立手順はその一例であり、他の各種異なる組立手順を用いて組み立てても良いことはいうまでもない。
【００３４】
次に外装ケース２００に装着した多機能型電子部品１−１の操作方法について説明する。まず、押釦つまみ８０を弾発手段１００の弾発力に抗して押圧すると、その押圧部８３が中央スイッチ２１を押圧して反転板を反転し、中央スイッチ２１をオンする。前記押圧を解除すると反転板は元の形状に自動復帰して中央スイッチ２１はオフし、同時に押釦つまみ８０は元の位置まで上昇する。
【００３５】
次に操作つまみ９０を回転すると、クリックバネ６０の弾接部６５がケース７０のクリック係合部７７の凹凸に弾接することでクリック感触を生じると同時に、摺動子５０の摺接ブラシ５３が第１回路基板４０上に形成した摺接パターン上を摺動してその出力信号を変化する。操作つまみ９０を回転する際、防滴板３００は、操作つまみ９０のつば部９５の上面及び外装ケース２００の当接突起２０３の内の何れか一方又は両者に対して当接を維持したまま容易に摺動する。このとき上述のように、防滴板３００は、操作つまみ９０とケース２００によって挟持されている部分がないので、防滴板３００は、操作つまみ９０に対して容易に摺動し、またケース２００に対しても容易に摺動し、これらのことから、防滴板３００によって操作つまみ９０の回転動作が妨げられることはなく、操作つまみ９０の回転操作をスムーズに行うことができる。特にこの例の場合、防滴板３００と当接突起２０３の当接は略線接触となるので、当接部分における防滴板３００の摺動がよりスムーズに行え、操作つまみ９０の回転動作をよりスムーズに行わせることができる。
【００３６】
また、操作つまみ９０の本体部９１上面の外周近傍部分を押圧すると、ケース７０のヒンジ部７９が撓むことで操作つまみ９０等と一体に取付台３０も揺動し、前記押圧した部分の真下近傍にある取付台３０の押圧部３９がこれに対向する押圧スイッチ２３を押圧し、反転板を反転してこの押圧スイッチ２３をオンする。前記押圧を解除すると、反転板は元の形状に自動復帰して押圧スイッチ２３はオフし、同時に操作つまみ９０は元の位置まで上昇する。操作つまみ９０を揺動（上下動）させる際、上述のように、つば部９５上に載置した防滴板３００の上部にはケース２００の下面が当接しておらず、つば部９５が上下動するのに必要な隙間Ｓ２が形成されており、且つ防滴板３００は容易に撓むので、操作つまみ９０の揺動動作（上下動動作）が妨げられることはなく、操作つまみ９０の揺動（上下動）操作をスムーズに行うことができる。
【００３７】
次に、図１において、外装ケース２００や操作つまみ９０の上面に液体が付着し、外装ケース２００の開口部２０１と操作つまみ９０の間の隙間Ｓ１から液体が浸入した場合について説明する。図６は隙間Ｓ１近傍部分の拡大概略断面図である。同図において、隙間Ｓ１から浸入した液体は、防滴板３００の上面に付着する。しかし防滴板３００はその下面がつば部９５の上面に当接しているので、防滴板３００とつば部９５の間から液体は侵入できない。特にこの例では、防滴板３００の中央に形成される開口３０１の内径寸法を、操作つまみ９０の本体部９１の外径寸法と略同一としているので、本体部９１の外周側壁と開口３０１の内周側壁間の隙間はほとんどなく、これによってさらに前記液体の浸入を防止できる。
【００３８】
一方、防滴板３００はその上面が当接突起２０３に当接しているので、防滴板３００と外装ケース２００の下面の間から液体は浸入できない。特にこの例では、当接突起２０３を２本設けることで、まず内側の当接突起２０３によって液体の浸入を防止し、さらに内側の当接突起２０３を乗り越えて侵入した少量の液体もさらに外側の当接突起２０３によってその浸入を防止するので、液体の浸入をさらに効果的に防止できる。言い換えれば、当接突起２０３を二重に設けて両者に防滴板３００を当接させるので、二つの当接突起２０３の間に、浸入する液体を一旦保持する保持空間Ａ１（図６参照）を形成することができ、これによって液体の浸入をより効果的に防ぐことができる。なお一旦保持空間Ａ１に溜まった液体は、蒸発等によって消滅する。
【００３９】
以上のように、可撓性を有する防滴板３００を、操作つまみ９０のつば部９５の上面と、外装ケース２００下面の開口部２０１の周囲とに同時に異なる位置で当接させたので、操作つまみ９０の操作性を阻害することなく、操作つまみ９０と外装ケース２００の開口部２０１の間の隙間Ｓ１からの水の浸入を効果的に防止することができる。
【００４０】
特に防滴板３００はリング状に形成されているので、操作つまみ９０への防滴板３００の装着は操作つまみ９０の全周にわたって容易に行える。同時に外装ケース２００下面の開口部２０１の周囲への防滴板３００の当接も全周にわたって容易に行える。
【００４１】
ところで操作つまみ９０は、押圧スイッチ２３を押圧する際に下降（反対側は上昇）するが、このとき防滴板３００とつば部９５の間、または防滴板３００と当接突起２０３との間にわずかな隙間を生じる恐れがある。しかしながらこれらの隙間は微小（例えば０．２ｍｍ程度）であり、液体の表面張力によって、液体は前記隙間を通過しない（または通過し難い）。さらに当接突起２０３においては、二重に形成されているため、何れかに隙間が生じても、もう一方に隙間が生じなければ問題ない。また防滴板３００とつば部９５間の当接は、この例では面接触なので、前記隙間自体が生じ難く、液体は通過しない（または通過し難い）。
【００４２】
また上記操作つまみ９０にはつば部９５を設けているので、防滴板３００をつば部９５の上面に載置するだけで、容易に防滴板３００を操作つまみ９０の外周部分上面に装着することができる。
【００４３】
なお、押釦つまみ８０は弾発部材１００によって、そのつば部８５の上面が操作つまみ９０の軸支部９９内周の根元部分に形成された段状部分の下面に弾接して密着する。このため、押釦つまみ８０の本体部８１外周と操作つまみ９０の開口部９７の間から浸入した液体はこの密着部分を通過できない。一方、押釦つまみ８０を押圧してこれを下降させた場合は、押釦つまみ８０のつば部８５の上面と操作つまみ９０の軸支部９９内周の根元部分に形成された段状部分の下面との間に隙間が生じる。しかしこの隙間寸法は微小である（例えば０．２ｍｍ程度）。またつば部８５の外周側面と軸部９９の内周側面間の隙間も微小（例えば０．０６ｍｍ程度）である。従って押釦つまみ８０の本体部８１外周と操作つまみ９０の開口部９７の間から浸入した液体はその表面張力によって、前記隙間を通過しない（または通過し難い）。
【００４４】
上記説明では、液体の浸入について説明したが、粉塵等についても同様の理由でその浸入を防止することができる。
【００４５】
図８は本発明の他の実施形態を構成する多機能型電子部品１−２と防滴板３００−２とケース（以下「外装ケース」という）２００−２とを示す断面図、図９はケース７０−２を示す斜視図である。図８，図９に示す多機能型電子部品１−２において、前記図１〜図７に示す実施形態にかかる多機能型電子部品１−１と同一又は相当部分には同一符号を付す（但し、各符号には添え字「−２」を付す）。なお以下で説明する事項以外の事項については、前記図１〜図７に示す実施形態と同じである。
【００４６】
この多機能型電子部品１−２において、前記多機能型電子部品１−１と相違する点は、ケース７０−２の部分である。即ち、ケース７０−２において、前記ケース７０と相違する点は、４つの固定部７８−２の外周側に、リング状の支持部７０１−２を一体に取り付けた点である。即ち、支持部７０１−２は、本体部７２―２（さらにその周囲のヒンジ部７９−２）を囲むように設けられ、且つ図８に示すように、その上方に設置されるケース２００―２の外側の当接突起２０３−２のさらに少し外周側に位置するように形成されている。支持部７０１−２の上端面は、防滴板３００−２が摺動する摺接面７０３−２となっている。
【００４７】
このように構成されたケース７０−２を用いた場合、図８に示すように、防滴板３００−２は、外側の当接突起２０３−２のさらに外周側において、その下側から前記支持部７０１−２の摺接面７０３−２に支えられる。即ち、防滴板３００−２は、上側から当接する一対の当接突起２０３−２の両側において、下側から当接するつば部９５−２と支持部７０１−２によって支えられる。このため、防滴板３００−２は、つば部９５−２と当接突起２０３−２に確実に当接する。さらに言えば、操作つまみ９０−２のつば部９５−２と当接突起２０３−２と支持部７０１−２がそれぞれ防滴板３００−２を若干押圧してこれに弾接するように構成しておけば、操作つまみ９０−２を押下してつば部９５−２が下降した位置と、上昇した位置の何れの位置においても、常に確実に、つば部９５−２と当接突起２０−３と支持部７０１−２とに、防滴板３００−２を当接させることができ、さらに確実に防滴、防塵効果を高めることができる。
【００４８】
なお、上記例では支持部７０１−２をケース７０−２に一体に設けたが、支持部７０１−２を設けるのはケース７０−２（その静止側の固定部７８）でなく、他の静止側部材（例えば支持部材１０等）に設けても良い。
【００４９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では操作つまみとして多機能型電子部品の操作つまみを用い、操作つまみが回転と揺動を行う例を示したが、操作つまみが回転のみ又は揺動のみを行う電子部品であっても本発明を適用できる。また操作つまみが上下動を行う電子部品にも本発明を適用できる。また上記例では中央に押圧式電子部品を構成するための押釦つまみ等を設置したが、押圧式電子部品はこれを省略しても良いことは言うまでもない。また上記例で用いた操作つまみは略円板状であるが、操作つまみの形状はこれに限られず、例えばシャフト形状の操作つまみ等であっても良い。
【００５０】
また上記例では防滴板を操作つまみのつば部の上面に当接させる例を示したが、つば部を設けず、例えば操作つまみの本体部の上面外周部分の位置を低く配置して、この部分を防滴板当接部とし、この部分に防滴板を当接させるように構成しても良い。一方、上記例では防滴板を外装ケースの当接突起に当接させる例を示したが、当接突起を設けず、例えば外装ケースの下面に直接防滴板を当接させるように構成しても良い。また上記例では防滴板を操作つまみのつば部の上面と外装ケース下面とに接着等しないで互い違いに当接するように設置したが（防滴板はリング状なので、接着しなくても脱落しない）、例えばつば部の上面又は外装ケースの下面の何れかに防滴板を接着等しても良い。要は、防滴板を、操作つまみの外周部分の上面に当接させ、且つ外装ケース下面の開口部の周囲であって前記操作つまみに当接した位置よりも外方の位置で当接させることによって、操作つまみと外装ケースの開口部の間の隙間からの水又は粉塵の浸入を防止する構成であればどのような構成であっても良い。
【００５１】
また防滴を図り、同時に操作つまみの揺動や上下動を容易に行わせるためには、操作つまみのつば部、もしくは操作つまみの本体部の上面外周部分に防滴板を当接すると共に、前記操作つまみの防滴板を当接した上部に隙間、即ち空間を設けるか、もしくは前記操作つまみの防滴板を当接した上部に外装ケース等の他の部材を設置しない開放した状態としておけば良い。
【００５２】
また上記例では外装ケースに設ける当接突起を二重に２本設けた例を示したが、場合によっては１本のみでも良く、また３本以上であっても良い。またケースとして上記例では外装ケースを用いたが、必ずしも外装ケースでなくても良い。また防滴板の材質として、上記例では撥水性及び摺動性の良好なフッ素樹脂を用いたが、場合によっては他の各種材質からなる可撓性のある板を用いても良い。
【符号の説明】
【００５３】
１  多機能型電子部品
１０  支持部材
２０  第２回路基板
３０  取付台
４０  第１回路基板
５０  摺動子
６０  クリックバネ
７０  ケース
８０  押釦つまみ
９０  操作つまみ
９５  つば部
１００  弾発部材
２００  外装ケース（ケース）
２０１  開口部
２０３  当接突起
３００  防滴板
Ｓ１  隙間
１−２  多機能型電子部品
７０１−２  支持部
９０−２  操作つまみ
９５−２  つば部
２００−２  外装ケース（ケース）
２０３−２  当接突起
３００−２  防滴板
【図１】
2015207468.tif 000003
【図２】
2015207468.tif 000004
【図３】
2015207468.tif 000005
【図４】
2015207468.tif 000006
【図５】
2015207468.tif 000007
【図６】
2015207468.tif 000008
【図７】
2015207468.tif 000009
【図８】
2015207468.tif 000010
【図９】
2015207468.tif 000011